(57)【要約】【課題】吊下穴を形成する必要がなく、安定して吊り下げることができるパウチ容器を提供する。【解決手段】表裏一対の外装シート１１及び両外装シート１１の下端部から内側に折り込まれて底ガセット部を形成する底ガセットシート１２を有する容器本体１０と、この容器本体１０に装着される、内容物を注出するための注出口部材２０とを備えている。容器本体１０は、底ガセットシート１２の周縁部が外装シート１１の下部周縁部にヒートシールされた底シール部と、一対の外装シート１１の周縁部が相互にヒートシールされた周縁シール部とを備えることによって袋状に形成されており、底ガセット部の両側縁において、部分的に接合されたポイントシール部ＰＳを有している。容器本体１０には、底ガセット部の側縁における上端ＵＥとポイントシール部ＰＳとの間の部分は吊下部材を挿入可能な吊下部ＨＰであることを示す表示部ＤＰ１〜ＤＰ４が設けられている。【選択図】        図１
2016182969.tif 000002
【特許請求の範囲】
【請求項１】
表裏一対の外装シート及び両外装シートの下端部から内側に折り込まれて底ガセット部を形成する底ガセットシートを備え、
前記底ガセットシートの周縁部が前記外装シートの下部周縁部にヒートシールされた底シール部と、前記一対の外装シートの周縁部が相互にヒートシールされた周縁シール部とを備えることによって袋状に形成され、
前記底ガセット部の両側縁において、部分的に接合されたポイントシール部を有し、
前記外装シートにおける前記周縁シール部に注出口部が設けられた底ガセットタイプのパウチ容器であって、
前記底ガセット部の側縁における上端と前記ポイントシール部との間の部分は吊下部材を挿入可能な吊下部であることを示す表示部が設けられていることを特徴とするパウチ容器。
【請求項２】
前記底ガセットシートは、その両側縁の一部が欠除されており、
前記底シール部における前記底ガセットシートの欠除部分で前記一対の外装シート同士が部分的にヒートシールされることによって、前記ポイントシール部が形成されている請求項１に記載のパウチ容器。
【請求項３】
前記吊下部で吊り下げた状態で、前記吊下部を通る略鉛直線上に前記注出口部が配置されている請求項１又は２に記載のパウチ容器。
【請求項４】
前記吊下部に吊下部材を挿入し易くする易挿入手段が設けられている請求項１、２又は３に記載のパウチ容器。
【請求項５】
前記注出口部は、注出口部材によって形成されている請求項１、２、３又は４に記載のパウチ容器。
【請求項６】
請求項１、２、３、４又は５に記載のパウチ容器と、内容物とを有するパウチ容器包装体。
【請求項７】
医療用途に用いられ、前記内容物が医療用液剤である請求項６に記載のパウチ容器包装体。
【発明の詳細な説明】
【技術分野】
【０００１】
この発明は、例えば、流動食や経腸栄養剤等の内容物を充填する容器のように、吊り下げた状態で使用するパウチ容器及びパウチ容器包装体に関する。
【背景技術】
【０００２】
この種のパウチ容器としては、例えば、図１８に示すようなものがある。このパウチ容器５０は、同図に示すように、内面が熱接着性を有する合成樹脂製の柔軟性シートからなる包材によって袋状に形成された内容物が充填される底ガセットタイプの容器本体５１と、この容器本体５１に充填された内容物を注出するために容器本体５１に装着された注出口部材５３とを備えており、容器本体５１には、底ガセット部を形成している底シール部５１ａに吊下穴５２が形成されている。
【０００３】
従って、このパウチ容器５０に内容物が充填包装されたパウチ容器包装体Ｐ５０は、図１９に示すように、注出口部材５３のキャップ５３ａを外してチューブＣを接続し、吊下スタンドのフックＨＫ等に容器本体５１の吊下穴５２を引っかけて、注出口部材５３が下を向くように吊り下げた状態で内容物をチューブＣを通して、人に投与するようになっている。
【先行技術文献】
【特許文献】
【０００４】
【特許文献１】特開２００６−０８２８４７号公報
【発明の概要】
【発明が解決しようとする課題】
【０００５】
しかしながら、上述したように、容器本体５１に形成された吊下穴５２を吊下スタンドのフックＨＫ等に引っかけて吊り下げるタイプのパウチ容器５０は、吊り下げ状態が安定せず、同図に矢印で示すように、吊り下げたパウチ容器５０が吊下穴５２を中心に揺れ動いて容器本体５１に表示された目盛り等が見にくくなるといった問題がある。
【０００６】
また、上述した底ガセットタイプの容器本体５１は、通常、長尺帯状の包材を送出しながら、底ガセット部となる部分を幅方向に折り込み、所定領域をヒートシールした後、所定形状に打ち抜くことによって製造され、後に残る打抜きかすは巻き取って廃棄されることになるが、上述したような吊下穴５２を有する容器本体５１を製造しようとすると、吊下穴５２を打ち抜かなければならないので、穴形状の打ち抜きかすが別途発生し、容器本体５１全体を打ち抜いた後に残る連続した打抜きかすと一緒に巻き取って廃棄することができず、吊下穴５２の打ち抜きかすだけを個別に処理しなければならないという問題もある。
【０００７】
そこで、この発明の課題は、吊下穴を形成する必要がなく、安定して吊り下げることができるパウチ容器及びパウチ容器包装体を提供することにある。
【課題を解決するための手段】
【０００８】
上記の課題を解決するため、請求項１に係る発明は、表裏一対の外装シート及び両外装シートの下端部から内側に折り込まれて底ガセット部を形成する底ガセットシートを備え、前記底ガセットシートの周縁部が前記外装シートの下部周縁部にヒートシールされた底シール部と、前記一対の外装シートの周縁部が相互にヒートシールされた周縁シール部とを備えることによって袋状に形成され、前記底ガセット部の両側縁において、部分的に接合されたポイントシール部を有し、前記外装シートにおける前記周縁シール部に注出口部が設けられた底ガセットタイプのパウチ容器であって、前記底ガセット部の側縁における上端と前記ポイントシール部との間の部分は吊下部材を挿入可能な吊下部であることを示す表示部が設けられていることを特徴とするパウチ容器を提供するものである。
【０００９】
また、請求項２に係る発明は、請求項１に係る発明のパウチ容器において、前記底ガセットシートは、その両側縁の一部が欠除されており、前記底シール部における前記底ガセットシートの欠除部分で前記一対の外装シート同士が部分的にヒートシールされることによって、前記ポイントシール部が形成されていることを特徴としている。
【００１０】
また、請求項３に係る発明は、請求項１又は２に係る発明のパウチ容器において、前記吊下部で吊り下げた状態で、前記吊下部を通る略鉛直線上に前記注出口部が配置されていることを特徴としている。
【００１１】
また、請求項４に係る発明は、請求項１、２又は３に係る発明のパウチ容器において、前記吊下部に吊下部材を挿入し易くする易挿入手段が設けられていることを特徴としている。
【００１２】
また、請求項５に係る発明は、請求項１、２、３又は４に係る発明のパウチ容器において、前記注出口部は、注出口部材によって形成されていることを特徴としている。
【００１３】
また、請求項６に係る発明は、請求項１、２、３、４又は５に記載のパウチ容器と、内容物とを有するパウチ容器包装体を提供するものである。
【００１４】
また、請求項７に係る発明は、請求項６に記載のパウチ容器包装体において、医療用途に用いられ、前記内容物が医療用液剤であることを特徴としている。
【発明の効果】
【００１５】
以上のように、請求項１に係る発明のパウチ容器は、底ガセット部の側縁における上端とポイントシール部との間の部分は、吊下部材を挿入可能な吊下部であることを示す表示部が設けられているので、ユーザーは、底ガセット部の側縁における上端とポイントシール部との間の部分に吊下スタンドのフック等を通して吊り下可能であることを容易に認識することができる。
【００１６】
また、このパウチ容器に内容物を充填包装した請求項６に係る発明のパウチ容器包装体を吊り下げた状態では、吊下部に挿入した吊下スタンドのフック等が底シール部の側縁に挟み込まれることによって吊下状態が安定し、パウチ容器が揺れ動きにくくなるので、パウチ容器の向きを一旦調整しておくと、その向きが容易に変わることがなく、パウチ容器に表示されている目盛り等の表示が見やすくなるという効果がある。
【００１７】
また、このパウチ容器は、従来の吊下可能なパウチ容器とは異なり、容器本体に吊下穴が形成されていないので、容器本体の製造段階で、吊下穴の打抜きかすが発生することがなく、打抜きかすの廃棄処理が容易になるという効果もある。
【００１８】
また、請求項２に係る発明のパウチ容器は、底ガセットシートの両側縁の一部が欠除されており、底シール部における底ガセットシートの欠除部分で一対の外装シート同士が部分的にヒートシールされることによって、ポイントシール部が形成されているので、接着剤等を用いて、底ガセット部の両側縁を別途接合する必要がない。
【００１９】
また、請求項３に係る発明のパウチ容器は、吊下部で吊り下げた状態で、吊下部を通る略鉛直線上に注出口部が配置されているので、パウチ容器を吊り下げた状態では、注出口部が最下位置に位置するので、内容物を確実に注出することができる。
【００２０】
また、請求項４に係る発明のパウチ容器は、吊下部に吊下部材を挿入し易くする易挿入手段が設けられているので、パウチ容器の吊下作業を容易に行うことができる。
【００２１】
また、請求項５に係る発明のパウチ容器は、注出口部が、注出口部材によって形成されているので、注出口部にチューブ等を接続することが可能になる。
【図面の簡単な説明】
【００２２】
【図１】この発明に係るパウチ容器の一実施形態（扁平に折り畳んだ状態）を示す背面図である。
【図２】同上のパウチ容器に内容物を充填したパウチ容器包装体を吊下部側から視た側面図である。
【図３】同上のパウチ容器包装体における吊下部を示す拡大側面図である。
【図４】（ａ）は同上のパウチ容器に装着されている注出口部材を示す正面図、（ｂ）は同上の注出口部材におけるカバーを装着する前の状態を示す正面図、（ｃ）は同上の注出口部材を構成しているカバーを示す正面図である。
【図５】（ａ）は同上のパウチ容器包装体の吊下部へフックを挿入した状態を示す正面図、（ｂ）は同上の状態を示す側面図である。
【図６】同上のパウチ容器包装体を吊り下げた状態を示す図である。
【図７】底シール部が左右非対称であるパウチ容器を示す背面図である。
【図８】（ａ）、（ｂ）は吊下部材であるフックの形状に沿うようなポイントシール部の形状を示す図である。
【図９】（ａ）は他の実施形態であるパウチ容器を示す一部切欠背面図、（ｂ）は他の実施形態であるパウチ容器包装体を示す底面図である。
【図１０】他の実施形態であるパウチ容器を扁平に折り畳んだ状態を示す背面図である。
【図１１】同上のパウチ容器に内容物を充填したパウチ容器包装体を吊下部側から視た側面図である。
【図１２】他の実施形態であるパウチ容器における吊下部を示す部分拡大背面図である。
【図１３】他の実施形態であるパウチ容器における吊下部を示す部分拡大背面図である。
【図１４】他の実施形態であるパウチ容器における吊下部を示す部分拡大背面図である。
【図１５】他の実施形態であるパウチ容器を扁平に折り畳んだ状態を示す背面図である。
【図１６】他の実施形態であるパウチ容器を扁平に折り畳んだ状態を示す背面図である。
【図１７】同上のパウチ容器に内容物が充填包装されたパウチ容器包装体を吊り下げた状態を示す図である。
【図１８】従来の吊り下げタイプのパウチ容器を扁平に折り畳んだ状態を示す正面図である。
【図１９】同上のパウチ容器に内容物が充填包装されたパウチ容器包装体を吊り下げた状態を示す図である。
【発明を実施するための形態】
【００２３】
以下、実施の形態について図面を参照して説明する。図１は、流動食、輸液剤、経腸栄養剤、血液等の医療用液剤が内容物として充填される底ガセットタイプのパウチ容器１を示している。このパウチ容器１は、同図に示すように、柔軟性シートによって袋状に形成された容器本体１０と、この容器本体１０に装着される、内容物を注出するための注出口部材２０とを備えている。このパウチ容器１に内容物を充填包装すると、図２に示すように、底ガセット部が広がったパウチ容器包装体Ｐ１が出来上がり、自立するようになっている。
【００２４】
前記容器本体１０を形成している柔軟性シートは、通常、単層又は複層の樹脂フィルムから構成されており、ベースフィルム層と、ヒートシール性を付与するシーラント層とを有する複層シートが好適であり、高いガスバリア性が要求される場合には、ベースフィルム層とシーラント層との間にガスバリア層を設けることが好適である。
【００２５】
前記ベースフィルム層を構成するフィルムとしては、ポリエチレンテレフタレート等のポリエステル、ポリエチレン、ポリプロピレン等のポリオレフィン、ナイロン−６、ナイロン−６６などのポリアミド及びエチレン−ビニルアルコール共重合体（ＥＶＯＨ）等から構成される一層又は二層以上の延伸又未延伸フィルムが例示できる。
【００２６】
前記シーラント層を構成するフィルムとしては、低密度ポリエチレン（ＬＤＰＥ）、直鎖状低密度ポリエチレン（ＬＬＤＰＥ）、高密度ポリエチレン（ＨＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又未延伸フィルムが例示できる。
【００２７】
前記ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。
【００２８】
前記柔軟性シートには、後述する使用上の注意事項等の表示をすべく、印刷層が設けられている。また、医療用液剤の液量を計測するための目盛りを設けることが好ましい。なお、目盛りの他にも、商品名、イラスト、原材料等の能書事項等をさらに設けてもよい。
【００２９】
前記容器本体１０は、同図に示すように、胴部を形成する前記柔軟性シートからなる一対の外装シート１１と、両外装シート１１の下端部から内側に折り込まれて底ガセット部を形成する前記柔軟性シートからなる底ガセットシート１２とから構成されており、折り込まれた底ガセットシート１２の内面の周縁が外装シート１１の下部内面にヒートシールされると共に、外装シート１１の内面の両側縁が相互にヒートシールされることで、袋状に形成されている。以下、外装シート１１と底ガセットシート１２とのヒートシール部分を「底シール部」、一対の外装シートの周縁部同士のヒートシール部分を「周縁シール部」という。なお、図１における網掛け表示部分がヒートシールされる領域を示している。
【００３０】
前記外装シート１１、１１は、上縁の一部に傾斜縁ＳＥを有する略五角形状をしており、両外装シート１１、１１の傾斜縁ＳＥに注出口部材２０が装着されている。
【００３１】
前記底ガセットシート１２の両側縁には、図１に示すように、二つ折りした状態で相互に一致する切欠部１２ａが円弧状に欠除されて形成されており、図３に示すように、この切欠部１２ａを介して、外装シート１１、１１の両側縁における下端部同士が部分的にヒートシールされたポイントシール部ＰＳが形成され、これによって、底ガセット部の両側縁の下部がそれぞれ部分的に接合された状態となっている。
【００３２】
前記注出口部材２０は、図４（ａ）〜（ｃ）に示すように、先端部２１ａを捻り取ることによって注出口が形成される口部本体２１と、この口部本体２１を覆うように装着されるカバー２２と、口部本体２１に連設された、断面形状が舟形状又は楕円形状の装着部２３とを備えており、装着部２３が外装シート１１、１１における傾斜縁ＳＥに挟み込まれた状態で、外装シート１１、１１にヒートシールされている。なお、この注出口部材２０は、カバー２２を回転させることによって口部本体２１の先端部２１ａが捻り取られて口部本体２１から外れ、注出口が形成された口部本体２１にチューブを接続することができるようになっている。なお、注出口部材２０はこれに限定されず、例えば口部本体に螺着される蓋を備えた構成であってもよい。
【００３３】
このパウチ容器１では、底ガセット部の両側縁における上端ＵＥとポイントシール部ＰＳとの間の部分は相互に接合されておらず、他方の側縁（傾斜縁ＳＥが形成されていないほうの側縁）におけるこの未接合部分を吊下部ＨＰとして使用することができる。具体的には、図５（ａ）、（ｂ）に示すように、パウチ容器包装体Ｐ１の吊下部ＨＰに、吊下スタンドのフックＨＫ等を挿入し、図６に示すように、そのフックＨＫ等にポイントシール部ＰＳを引っかけることによってパウチ容器包装体Ｐ１を吊り下げられるようになっている。このとき、パウチ容器１が底ガセットタイプであることから、底ガセット部を構成する底ガセットシート１２の外面（すなわち底部）がフックＨＫを吊下部ＨＰに導くガイドとして機能する。従って、フックＨＫ等の吊下部材の形状に合わせて挿入しやすいようなガイド機能を発揮させるために、図７に示すように、底ガセット部における底シール部の形状を両側非対称としてもよい。
【００３４】
また、フックＨＫ等の吊下部材の吊下部ＨＰへの挿入作業性を考慮すると、底ガセット部の両側縁における上端ＵＥとポイントシール部ＰＳとの間の非接合部分の長さを大きくするために、底ガセットシート１２の折り込み長さを大きくすることが好ましい。また、ポイントシール部ＰＳを底ガセットシート１２の下端位置に形成することも好適である。あるいは、これらを共に有してもよい。また、パウチ容器の吊下安定性を考慮すると、図８（ａ）、（ｂ）に示すように、ポイントシール部ＰＳは、その縁部をフックＨＫ等の吊下部材の形状に沿うような形状にすることが、吊り下げられた状態がより安定するため望ましい。
【００３５】
なお、内容物である医療用液剤が充填されたパウチ容器包装体Ｐ１を吊り下げて人に投与する場合は、パウチ容器包装体Ｐ１を吊り下げる前に、予め、注出口部材２０のカバー２２を外してチューブＣを接続しておくことが望ましい。
【００３６】
前記容器本体１０を構成している外装シート１１には、図１に示すように、「吊下位置を示す表示」、「吊下使用を示す表示」及び「吊下状態を示す表示」がそれぞれ施されている。「吊下位置を示す表示」としては、例えば、吊下部ＨＰとなる交斜線で示す領域を着色した着色表示部ＤＰ１や、吊下部ＨＰを指し示す矢印表示部ＤＰ２が、「吊下使用を示す表示」としては、例えば、「内側からこの矢印に沿ってフックを通して下さい」等の説明表示部ＤＰ３が、「吊下状態を示す表示」としては、例えば、パウチ容器包装体Ｐ１の吊下状態を示すイラスト表示部ＤＰ４が挙げられる。
【００３７】
以上のように、このパウチ容器１は、底ガセット部の側縁における上端ＵＥとポイントシール部ＰＳとの間の部分は、吊下部材を挿入可能な吊下部ＨＰであることを示す表示部が設けられているので、このパウチ容器１に医療用液剤が充填包装されたパウチ容器包装体Ｐ１を取り扱うユーザーは、底ガセット部の側縁における上端ＵＥとポイントシール部ＰＳとの間の部分に吊下スタンドのフック等を通して吊下可能であることを容易に認識することができる。
【００３８】
また、パウチ容器包装体Ｐ１を吊り下げた状態では、吊下部ＨＰに挿入した吊下スタンドのフックＨＫ等が、図５（ｂ）に示すように、底シール部の側縁に挟み込まれることによって吊下状態が安定し、パウチ容器包装体Ｐ１が揺れ動きにくくなるので、パウチ容器包装体Ｐ１の向きを一旦調整しておくと、その向きが容易に変わることがなく、パウチ容器包装体Ｐ１に表示されている目盛り等の表示が見やすくなるという効果がある。このように、搖動を防止し、安定して吊り下げて内容物を注出することができることから、このパウチ容器包装体Ｐ１は、流動食、輸液剤、経腸栄養剤、血液等の医療用液剤を内容物とする医療用途に好適に用いることができる。
【００３９】
また、このパウチ容器１は、従来の吊下可能なパウチ容器とは異なり、容器本体に吊下穴が形成されていないので、容器本体１０の製造段階で、吊下穴の打抜きかすが発生することがなく、打抜きかすの廃棄処理が容易になるという効果もある。
【００４０】
また、このパウチ容器１は、上縁の一部に傾斜縁ＳＥを有する略五角形状の外装シート１１、１１の傾斜縁ＳＥに注出口部材２０が装着されており、略五角形状の外装シート１１、１１の他方の下端コーナー部付近に吊下部ＨＰが形成されているので、図６に示すように、パウチ容器包装体Ｐ１を吊り下げた状態では、注出口部材２０が最下位置に位置することになり、医療用液剤を確実に注出することができる。
【００４１】
なお、上述したパウチ容器１には、「吊下位置を示す表示」、「吊下使用を示す表示」及び「吊下状態を示す表示」の３種類の表示が全て施されているが、これに限定されるものではなく、少なくとも、１種類の表示が施されていればよく、複数種類の表示を組み合わせて施してもよい。
【００４２】
また、上述したパウチ容器１には、吊下部材を挿入可能な吊下部ＨＰであることを示す表示部が外装シート１１に設けられているが、これに限定されるものではなく、底ガセットシート１２に表示部を設けてもよい。このように、底ガセットシート１２に表示部を設けると、外装シート１１を種々の情報を表示する表示領域として最大限に利用することが可能となる。具体的には、図９（ａ）に示すように、外装シート１１、１１間に折り込まれた底ガセットシート１２における底シール部に矢印表示部ＤＰ２や説明表示部ＤＰ３等の表示部を設けてもよい。特に、表示の見やすさを考慮すると、同図（ｂ）に示すように、底ガセットシート１２における底面となる未シール領域に矢印表示部ＤＰ２や説明表示部ＤＰ３等の表示部を設けておくことが好ましい。
【００４３】
また、前記吊下部ＨＰに、吊下部材を挿入し易くする易挿入手段を設けることが好ましい。図１０に示すパウチ容器２では、易挿入手段として、底シール部の側縁における吊下部ＨＰに切欠部１０ａを形成している。このパウチ容器２に医療用液剤を充填包装することによって底ガセット部が広がったパウチ容器包装体Ｐ２は、図１１に示すように、吊下部ＨＰ部分が切欠部１０ａによって大きく開口し、フック等の吊下部材を挿入しやすくなると共に、吊下部として利用可能であることを認識しやすくなるという効果が得られる。
【００４４】
前記易挿入手段としては、上述したように、底シール部の側縁における吊下部ＨＰに切欠部１０ａを形成する以外に、吊下部ＨＰの剛性を低下させることが考えられる。吊下部ＨＰの剛性を低下させる具体的な手法としては、例えば、図１２に示すように、底シール部における吊下部ＨＰとなる領域については、外装シート１１と底ガセットシート１２とを部分的にヒートシールしない未シール部１０ｂを形成したり、図１３に示すように、底シール部の側縁における吊下部ＨＰに横方向に延びる切目１０ｃを形成したり、図１４に示すように、底シール部の側縁における吊下部ＨＰに横方向に延びる押し罫線１０ｄを形成したりすることが挙げられる。また、押し罫線１０ｄに代えて、ハーフカットやミシン目状の罫線等を採用することも可能である。
【００４５】
また、上述したパウチ容器１、２では、容器本体１０に注出口部材２０だけが装着されているが、例えば、図１５に示すパウチ容器３のように、スクリューキャップタイプの注入口部材３０を容器本体１０の右側縁に装着しておくと、希釈水等を容器本体１０に注入することが可能となり、容器本体１０内に付着している医療用液剤についても注入した希釈水等で洗い流して投与することができる。
【００４６】
また、上述したパウチ容器１、２、３では、容器本体１０の傾斜縁ＳＥに注出口部材２０が装着されているが、これに限定されるものではなく、注出口部材２０は、周縁シール部に装着されていればよい。例えば、図１６に示すパウチ容器４のように、容器本体１０Ａの上縁の幅方向の中央部に注出口部材２０を装着してもよく、このパウチ容器４の場合は、底ガセット部の両側縁における上端ＵＥとポイントシール部ＰＳとの間の未接合部分を吊下部ＨＰとして使用することができる。図１７に示すように、このパウチ容器４に医療用液剤が充填包装されたパウチ容器包装体Ｐ４を吊り下げると、注出口部材２０が真下を向かず、若干傾いた状態となるが、容器本体１０Ａ内の医療用液剤はほとんど注出されるので、特に問題とはならない。なお、容器本体１０Ａ内に僅かに残った注出しきれない医療用液剤については、吊り下げたパウチ容器４を若干傾けることで、完全に注出することができる。
【００４７】
また、上述した各実施形態では、流動食等の医療用薬剤を充填する医療用パウチ容器について説明したが、吊り下げた状態で内容物を注出することができるものであれば特に限定されず、様々な用途に用いられる種々のパウチ容器に有効である。
【００４８】
また、上述した実施形態では、注出口部材２０が装着されたパウチ容器について説明したが、これに限定されるものではなく、注出口部が存在していれば、例えばシール部の形状で注出口部を形成するといった従来公知の注出口部材を装着していないパウチ容器についても、本発明を適用することができることはいうまでもない。
【産業上の利用可能性】
【００４９】
本発明は、吊り下げた状態で内容物を注出するパウチ容器に利用することができる。
【符号の説明】
【００５０】
Ｐ１、Ｐ２、Ｐ４  パウチ容器包装体
１、２、３、４  パウチ容器
１０、１０Ａ  容器本体
１０ａ  切欠部
１０ｂ  未シール部
１０ｃ  切目
１０ｄ  押し罫線
１１  外装シート
１２  底ガセットシート
１２ａ  切欠部
２０  注出口部材
２１  口部本体
２１ａ先端部
２２  カバー
２３  装着部
３０  注入口部材
Ｃ  チューブ
ＤＰ１  着色表示部
ＤＰ２  矢印表示部
ＤＰ３  説明表示部
ＤＰ４  イラスト表示部
ＨＰ  吊下部
ＨＫ  フック
ＰＳ  ポイントシール部
ＳＥ  傾斜縁
ＵＥ  底ガセット部の上端
【図１】
2016182969.tif 000003
【図２】
2016182969.tif 000004
【図３】
2016182969.tif 000005
【図４】
2016182969.tif 000006
【図５】
2016182969.tif 000007
【図６】
2016182969.tif 000008
【図７】
2016182969.tif 000009
【図８】
2016182969.tif 000010
【図９】
2016182969.tif 000011
【図１０】
2016182969.tif 000012
【図１１】
2016182969.tif 000013
【図１２】
2016182969.tif 000014
【図１３】
2016182969.tif 000015
【図１４】
2016182969.tif 000016
【図１５】
2016182969.tif 000017
【図１６】
2016182969.tif 000018
【図１７】
2016182969.tif 000019
【図１８】
2016182969.tif 000020
【図１９】
2016182969.tif 000021